(57)【要約】      （修正有）【課題】電源システムを提供する。【解決手段】第１および第２のセットの撚り対を有するケーブルを介して、受電側デバイス（ＰＤ）に電力を提供するためのシステムであって、給電側機器（ＰＳＥ）回路と、前記ＰＳＥ回路を前記第２のセットに連結するための第１のスイッチと、前記第１のスイッチをオフにし、前記ＰＳＥ回路に、前記第１のセットのみを介して、前記ＰＤと連動する所定の動作を行わせ、前記第１のスイッチをオンにし、前記ＰＳＥ回路に、前記第１および第２のセットを介して、前記ＰＤと連動する所定の動作を行わせるためのスイッチ制御回路とを含む、システム。【選択図】図４
2013118622.tif 000002
【特許請求の範囲】
【請求項１】
第１および第２のセットの撚り対を有するケーブルを介して、受電側デバイス（ＰＤ）に電力を提供するためのシステムであって、
給電側機器（ＰＳＥ）回路と、
前記ＰＳＥ回路を前記第２のセットに連結するための第１のスイッチと、
前記第１のスイッチをオフにし、前記ＰＳＥ回路に、前記第１のセットのみを介して、前記ＰＤと連動する所定の動作を行わせ、前記第１のスイッチをオンにし、前記ＰＳＥ回路に、前記第１および第２のセットを介して、前記ＰＤと連動する所定の動作を行わせるためのスイッチ制御回路と
を含む、システム。
【請求項２】
前記第１のスイッチは、オフにされ、前記ＰＳＥ回路に、前記第１のセットのみを介して、前記ＰＤを検出させ、前記第１のスイッチは、オンにされ、前記ＰＳＥ回路に、前記第１および第２のセットを介して、前記ＰＤを検出させる、請求項１に記載のシステム。
【請求項３】
前記第１のスイッチは、オフにされ、前記ＰＳＥ回路に、前記第１のセットのみを介して、前記ＰＤに給電させ、前記第１のスイッチは、オンにされ、前記ＰＳＥ回路に、前記第１および第２のセットを介して、前記ＰＤに給電させる、請求項１に記載のシステム。
【請求項４】
前記第１のセットは、前記ケーブル内に第１および第２の対の導体を含み、前記第２のセットは、前記ケーブル内に第３、および第４の対の導体を含む、請求項１に記載のシステム。
【請求項５】
前記ＰＳＥ回路は、それぞれ、前記第１、第２、第３、および第４の対の導体に連結される、少なくとも一対の第１、第２、第３、および第４の電力線を介して、電力を提供するように構成される、請求項４に記載のシステム。
【請求項６】
前記第１のスイッチは、前記ＰＳＥ回路を前記第１、第２、第３、および第４の電力線のうちの１つに連結するように構成される、請求項５に記載のシステム。
【請求項７】
前記第１のスイッチは、前記ＰＤを検出後、前記ＰＤに電力を提供する前に、オンにされ、前記ＰＤに、前記第１のセットを介して、前記ＰＤの検出を行わせ、前記第１および第２のセットの両方を介して、前記検出されたＰＤに電力を提供させる、請求項１に記載のシステム。
【請求項８】
前記第１のスイッチは、オフにされ、前記ＰＤに、前記第１のセットのみを介して、電力を提供させ、前記第１のセットを介して、電力を提供後、前記第１のスイッチは、オンにされ、前記ＰＤに、前記第１および第２のセットの両方を介して、電力を提供させる、請求項１に記載のシステム。
【請求項９】
前記ＰＳＥ回路を前記第１のセットに連結するための第２のスイッチをさらに含む、請求項１に記載のシステム。
【請求項１０】
前記第１のスイッチは、オンにされ、前記第２のスイッチは、オフにされ、前記ＰＳＥに、前記第２のセットのみを介して、前記ＰＤを検出させる、請求項９に記載のシステム。
【請求項１１】
前記第１のスイッチは、オンにされ、前記第２のスイッチは、オフにされ、前記ＰＳＥに、前記第２のセットのみを介して、前記ＰＤに給電させる、請求項９に記載のシステム。
【請求項１２】
前記第１および第２のスイッチは両方とも、オンにされ、前記ＰＳＥに、前記第１および第２のセットの両方を介して、前記ＰＤを検出させる、請求項９に記載のシステム。
【請求項１３】
前記第１および第２のスイッチは両方とも、オンにされ、前記ＰＳＥに、前記第１および第２のセットの両方を介して、前記ＰＤに給電させる、請求項９に記載のシステム。
【請求項１４】
前記第１のスイッチおよび前記第２のスイッチは、前記ＰＳＥ回路に、一連の検出動作を行わせ、単一ＰＤシグネチャ回路と関連付けられたＰＤと一対のＰＤシグネチャ回路と関連付けられたＰＤとを区別させるように制御される、請求項９に記載のシステム。
【請求項１５】
前記第１のスイッチおよび前記第２のスイッチは、前記ＰＳＥ回路に、一連の検出動作を行わせ、有効ＰＤが、前記第１および第２のセットの両方に連結されているかどうかを判定させるように制御される、請求項９に記載のシステム。
【請求項１６】
第１および第２のセットの撚り対を伴うケーブルと、第１のスイッチを経由して前記第２のセットに連結され、第２のスイッチを経由して前記第１のセットに連結されるＰＳＥ回路とを有する、Ｐｏｗｅｒ  ｏｖｅｒ  Ｅｔｈｅｒｎｅｔ（登録商標）（ＰｏＥ）システムにおいて、前記第１および第２のスイッチを制御する方法であって、
前記第２のセットを介して、第１の検出動作を行い、ＰＤを検出するために、前記第１のスイッチをオンにし、前記第２のスイッチをオフにするステップと、
前記第１のセットを介して、第２の検出動作を行い、前記ＰＤを検出するために、前記第１のスイッチをオフにし、前記第２のスイッチをオンにするステップと、
前記第１および第２のセットの両方を介して、第３の検出動作を行い、前記ＰＤを検出するために、前記第１のスイッチをオンにし、前記第２のスイッチをオンにするステップと
を含む、方法。
【請求項１７】
前記ＰＤの有効シグネチャ値が、前記第１、第２、および第３の検出動作のそれぞれの間、検出される場合、前記ＰＤは、前記第１および第２のセットの両方に接続され、単一シグネチャ回路と関連付けられた有効ＰＤと見なされる、請求項１６に記載の方法。
【請求項１８】
前記ＰＤの有効シグネチャ値が、前記第１および第２の検出動作のそれぞれの間、検出され、前記有効シグネチャ値の半分が、前記第３の検出動作の間、検出される場合、前記ＰＤは、一対のシグネチャ回路と関連付けられていると見なされる、請求項１６に記載の方法。
【発明の詳細な説明】
【技術分野】
【０００１】
本願は、米国仮特許出願第６１／５５０，６５５（２０１１年１０月２４日出願）に対する優先権を主張するものであり、該米国仮特許出願の全開示は、参照により本明細書中に援用される。
【０００２】
本開示は、電源システムに関し、より具体的には、電力を提供するための４対の導体を使用する、Ｐｏｗｅｒ  ｏｖｅｒ  Ｅｔｈｅｒｎｅｔ（登録商標）（ＰｏＥ）システムに関する。
【背景技術】
【０００３】
ＩＥＥＥ規格に定義されるＰｏＥシステムでは、給電側機器（ＰＳＥ）は、２セットの撚り対を有するＣＡＴ−５ケーブルを介して、受電側デバイス（ＰＤ）に電力を提供する。第１のセットは、２つの「信号」対の導体を含み、第２のセットは、２つの「予備」対の導体を含む。ＰｏＥシステムは、典型的には、「信号」対または「予備」対のいずれかのＣＡＴ−５ケーブル内の１セットの対を介して、ＰＳＥからＰＤに、電力を供給する。いくつかのより高電力のＰｏＥシステムは、全４対の導体に同時に電力を提供する。
【０００４】
例えば、図１に示されるように、ＬＴＰｏＥ＋＋ＴＭシステムは、信号および予備対中心タップを結合することによって、電力を提供する。このシステムは、信号対電力線１４、予備対電力線１６、信号対帰線１８、および予備対帰線２０から成る、出力回路に連結される、ＰＳＥ回路１２を含む。信号対電力線１４は、予備対線１６に接続される一方、信号対帰線１８は、予備対帰線２０に連結される。
【０００５】
図２に例証されるように、線１４、１６、１８、および２０はそれぞれ、個別のＥｔｈｅｒｎｅｔ（登録商標）変圧器の中心タップを経由して、４対の導体、すなわち、２つの信号対および２つの予備対を有する、Ｅｔｈｅｒｎｅｔ（登録商標）ケーブル内の個別の対の導体に接続される。特に、信号対電力線１４および信号帰線１８は、Ｅｔｈｅｒｎｅｔ（登録商標）ケーブルの信号対２２および２４に接続され、予備対電力線１６および予備対帰線２０は、Ｅｔｈｅｒｎｅｔ（登録商標）ケーブルの予備対２６および２８に接続される。Ｅｔｈｅｒｎｅｔ（登録商標）変圧器は、導体対をＥｔｈｅｒｎｅｔ（登録商標）  ＰＨＹに接続する。
【０００６】
図１におけるシステムとは対照的に、Ｃｉｓｃｏ  Ｕｎｉｖｅｒｓａｌ  Ｐｏｗｅｒ  ｏｖｅｒ  Ｅｔｈｅｒｎｅｔ（登録商標）（ＵＰｏＥ）システムは、１つは信号対用であり、１つは予備対用である、２つのＰＳＥチャネルを使用する。図３に示されるように、ＵＰｏＥシステムは、別個のＰＳＥ回路１２０および１４０を含む。ＰＳＥ回路１２０は、信号対電力線１４および信号対帰線１８を介して、電力を提供する一方、ＰＳＥ回路１４０は、予備対電力線１６および予備対帰線２０を介して、電力を供給する。予備対帰線２０は、信号対帰線１８に接続される。
【０００７】
高電力送達のためのこれらの２つの技法は、標準的ＩＥＥＥ検出および分類方式が使用される場合、相互に対して、相互互換不可能である。したがって、異なる高電力ＰｏＥシステム間に相互互換性を提供する、新しい技法の必要性が存在する。
【発明の概要】
【課題を解決するための手段】
【０００８】
一側面によると、本開示は、信号対のセットおよび予備対のセット等の第１および第２のセットの撚り対を有するケーブルを介して、受電側デバイス（ＰＤ）に電力を提供するためのシステムを提案する。システムは、給電側機器（ＰＳＥ）回路と、ＰＳＥ回路を第２のセットに、例えば、予備対のセットに連結するための第１のスイッチと、を有する。スイッチ制御回路は、第１のスイッチをオフにし、ＰＳＥ回路に、第１のセットのみを介して、例えば、信号対のセットを介して、ＰＤと連動する所定の動作を行わせ、第１のスイッチをオンにし、ＰＳＥ回路に、第１および第２のセットを介して、ＰＤと連動する所定の動作を行わせる。
【０００９】
特に、第１のスイッチは、オフにされ、ＰＳＥ回路に、第１のセットのみを介して、ＰＤを検出させる、および／またはそれに給電させてもよく、第１のスイッチは、オンにされ、ＰＳＥ回路に、第１および第２のセットを介して、ＰＤを検出させる、および／またはそれに給電させてもよい。
【００１０】
第１のセットは、ケーブル内に第１および第２の対の導体を含んでもよく、第２のセットは、ケーブル内に第３および第４の対の導体を含んでもよい。
【００１１】
ＰＳＥ回路は、それぞれ、第１、第２、第３、および第４の対の導体に連結される、少なくとも一対の第１、第２、第３、および第４の電力線を介して、電力を提供するように構成されてもよい。
【００１２】
第１のスイッチは、ＰＳＥ回路を第１、第２、第３、および第４の電力線のうちの１つに連結するように構成されてもよい。
【００１３】
例えば、第１のスイッチは、ＰＤを検出後、ＰＤに電力を提供する前に、オンにされ、ＰＳＥに、第１のセットのみを介して、ＰＤの検出を行わせ、第１および第２のセットの両方を介して、検出されたＰＤに電力を提供させてもよい。
【００１４】
また、第１のスイッチは、オフにされ、ＰＤに第１のセットのみを介して、ＰＳＥ回路から電力を提供させてもよく、第１のセットのみを介して、電力を提供後、第１のスイッチは、オンにされ、ＰＤに、第１および第２のセットの両方を介して、電力を提供させてもよい。
【００１５】
代替実施形態では、システムは、ＰＳＥ回路を第１のセットに連結するための第２のスイッチを含んでもよい。
【００１６】
第１のスイッチは、オンにされ、第２のスイッチは、オフにされ、ＰＳＥに、第２のセットのみを介して、ＰＤを検出させる、および／またはそれに給電させてもよい。第１のスイッチは、オフにされ、第２のスイッチは、オンにされ、第１のセットのみを介して、ＰＳＥに、ＰＤを検出させる、および／またはそれに給電させてもよい。また、第１および第２のスイッチが両方とも、オンにされ、ＰＳＥに、第１および第２のセットの両方を介して、ＰＤを検出させる、および／またはそれに給電させてもよい。
【００１７】
例示的実施形態では、第１のスイッチおよび第２のスイッチは、ＰＳＥ回路に、一連の検出動作を行わせ、単一ＰＤシグネチャ回路と関連付けられたＰＤと一対のＰＤシグネチャ回路と関連付けられたＰＤを区別するように、または有効ＰＤが、第１および第２のセットの両方に連結されているかどうか判定するように制御されてもよい。
【００１８】
本開示の方法によると、第１および第２のスイッチは、
第２のセットのみを介して、第１の検出動作を行い、ＰＤを検出するために、第１のスイッチをオンにし、第２のスイッチをオフすることと、
第２の検出動作を行い、第１のセットのみを介して、ＰＤを検出するために、第１のスイッチをオフにし、第２のスイッチをオンにすることと、
第１および第２のセットの両方を介して、第３の検出動作を行い、ＰＤを検出するために、第１のスイッチをオンにし、第２のスイッチをオンにすることと
によって制御されてもよい。
【００１９】
ＰＤの有効シグネチャ値が、第１、第２、および第３の検出動作のそれぞれの間、検出される場合、ＰＤは、第１および第２のセットの両方に接続され、単一シグネチャ回路と関連付けられた有効ＰＤであると見なされてもよい。
【００２０】
ＰＤの有効シグネチャ値が、第１および第２の検出動作のそれぞれの間、検出され、有効シグネチャ値の半分が、第３の検出動作の間、検出される場合、ＰＤは、一対のシグネチャ回路と関連付けられていると見なされてもよい。
【００２１】
本開示の付加的利点および側面は、本開示の実施形態が、本開示を実践するために想定される最良の形態の単なる例証として、図示および説明される、以下の発明を実施するための形態から、当業者に容易に明白となるであろう。説明されるように、本開示は、その他および異なる実施形態も可能であって、そのいくつかの詳細は、本開示の精神からすべて逸脱することなく、種々の明白な観点において、修正を受け入れる余地がある。故に、図面および説明は、限定としてではなく、性質上、例証として見なされるべきである。
本発明は、例えば、以下を提供する。
（項目１）
第１および第２のセットの撚り対を有するケーブルを介して、受電側デバイス（ＰＤ）に電力を提供するためのシステムであって、
給電側機器（ＰＳＥ）回路と、
上記ＰＳＥ回路を上記第２のセットに連結するための第１のスイッチと、
上記第１のスイッチをオフにし、上記ＰＳＥ回路に、上記第１のセットのみを介して、上記ＰＤと連動する所定の動作を行わせ、上記第１のスイッチをオンにし、上記ＰＳＥ回路に、上記第１および第２のセットを介して、上記ＰＤと連動する所定の動作を行わせるためのスイッチ制御回路と
を含む、システム。
（項目２）
上記第１のスイッチは、オフにされ、上記ＰＳＥ回路に、上記第１のセットのみを介して、上記ＰＤを検出させ、上記第１のスイッチは、オンにされ、上記ＰＳＥ回路に、上記第１および第２のセットを介して、上記ＰＤを検出させる、上記項目に記載のシステム。
（項目３）
上記第１のスイッチは、オフにされ、上記ＰＳＥ回路に、上記第１のセットのみを介して、上記ＰＤに給電させ、上記第１のスイッチは、オンにされ、上記ＰＳＥ回路に、上記第１および第２のセットを介して、上記ＰＤに給電させる、上記項目のいずれか一項に記載のシステム。
（項目４）
上記第１のセットは、上記ケーブル内に第１および第２の対の導体を含み、上記第２のセットは、上記ケーブル内に第３、および第４の対の導体を含む、上記項目のいずれか一項に記載のシステム。
（項目５）
上記ＰＳＥ回路は、それぞれ、上記第１、第２、第３、および第４の対の導体に連結される、少なくとも一対の第１、第２、第３、および第４の電力線を介して、電力を提供するように構成される、上記項目のいずれか一項に記載のシステム。
（項目６）
上記第１のスイッチは、上記ＰＳＥ回路を上記第１、第２、第３、および第４の電力線のうちの１つに連結するように構成される、上記項目のいずれか一項に記載のシステム。
（項目７）
上記第１のスイッチは、上記ＰＤを検出後、上記ＰＤに電力を提供する前に、オンにされ、上記ＰＤに、上記第１のセットを介して、上記ＰＤの検出を行わせ、上記第１および第２のセットの両方を介して、上記検出されたＰＤに電力を提供させる、上記項目のいずれか一項に記載のシステム。
（項目８）
上記第１のスイッチは、オフにされ、上記ＰＤに、上記第１のセットのみを介して、電力を提供させ、上記第１のセットを介して、電力を提供後、上記第１のスイッチは、オンにされ、上記ＰＤに、上記第１および第２のセットの両方を介して、電力を提供させる、上記項目のいずれか一項に記載のシステム。
（項目９）
上記ＰＳＥ回路を上記第１のセットに連結するための第２のスイッチをさらに含む、上記項目のいずれか一項に記載のシステム。
（項目１０）
上記第１のスイッチは、オンにされ、上記第２のスイッチは、オフにされ、上記ＰＳＥに、上記第２のセットのみを介して、上記ＰＤを検出させる、上記項目のいずれか一項に記載のシステム。
（項目１１）
上記第１のスイッチは、オンにされ、上記第２のスイッチは、オフにされ、上記ＰＳＥに、上記第２のセットのみを介して、上記ＰＤに給電させる、上記項目のいずれか一項に記載のシステム。
（項目１２）
上記第１および第２のスイッチは両方とも、オンにされ、上記ＰＳＥに、上記第１および第２のセットの両方を介して、上記ＰＤを検出させる、上記項目のいずれか一項に記載のシステム。
（項目１３）
上記第１および第２のスイッチは両方とも、オンにされ、上記ＰＳＥに、上記第１および第２のセットの両方を介して、上記ＰＤに給電させる、上記項目のいずれか一項に記載のシステム。
（項目１４）
上記第１のスイッチおよび上記第２のスイッチは、上記ＰＳＥ回路に、一連の検出動作を行わせ、単一ＰＤシグネチャ回路と関連付けられたＰＤと一対のＰＤシグネチャ回路と関連付けられたＰＤとを区別させるように制御される、上記項目のいずれか一項に記載のシステム。
（項目１５）
上記第１のスイッチおよび上記第２のスイッチは、上記ＰＳＥ回路に、一連の検出動作を行わせ、有効ＰＤが、上記第１および第２のセットの両方に連結されているかどうかを判定させるように制御される、上記項目のいずれか一項に記載のシステム。
（項目１６）
第１および第２のセットの撚り対を伴うケーブルと、第１のスイッチを経由して上記第２のセットに連結され、第２のスイッチを経由して上記第１のセットに連結されるＰＳＥ回路とを有する、Ｐｏｗｅｒ  ｏｖｅｒ  Ｅｔｈｅｒｎｅｔ（登録商標）（ＰｏＥ）システムにおいて、上記第１および第２のスイッチを制御する方法であって、
上記第２のセットを介して、第１の検出動作を行い、ＰＤを検出するために、上記第１のスイッチをオンにし、上記第２のスイッチをオフにするステップと、
上記第１のセットを介して、第２の検出動作を行い、上記ＰＤを検出するために、上記第１のスイッチをオフにし、上記第２のスイッチをオンにするステップと、
上記第１および第２のセットの両方を介して、第３の検出動作を行い、上記ＰＤを検出するために、上記第１のスイッチをオンにし、上記第２のスイッチをオンにするステップと
を含む、方法。
（項目１７）
上記ＰＤの有効シグネチャ値が、上記第１、第２、および第３の検出動作のそれぞれの間、検出される場合、上記ＰＤは、上記第１および第２のセットの両方に接続され、単一シグネチャ回路と関連付けられた有効ＰＤと見なされる、上記項目のいずれか一項に記載の方法。
（項目１８）
上記ＰＤの有効シグネチャ値が、上記第１および第２の検出動作のそれぞれの間、検出され、上記有効シグネチャ値の半分が、上記第３の検出動作の間、検出される場合、上記ＰＤは、一対のシグネチャ回路と関連付けられていると見なされる、上記項目のいずれか一項に記載の方法。
（摘要）
信号対および予備対等の第１および第２のセットの撚り対を有するケーブルを介して、受電側デバイス（ＰＤ）に電力を提供するための技法。給電側機器（ＰＳＥ）回路は、第１のスイッチを経由して、第２のセットに、例えば、予備対に連結される。スイッチ制御回路は、第１のスイッチをオフにし、ＰＳＥ回路に、第１のセットのみを介して、例えば、信号対を介して、ＰＤと連動する所定の動作を行わせ、第１のスイッチをオンにし、ＰＳＥ回路に、第１および第２のセットを介して、ＰＤと連動する所定の動作を行わせる。
【００２２】
本開示の実施形態の以下の発明を実施するための形態は、特徴が、必ずしも、正確な縮尺で描かれておらず、むしろ、関連特徴を最良に例証するように描かれている、以下の図面と併せて読まれるとき、最も理解され得る。
【図面の簡単な説明】
【００２３】
【図１】図１は、ＬＴＰｏＥ＋＋ＴＭシステム等の対結合された高電力ＰｏＥシステムを例証する。
【図２】図２は、撚り対のＥｔｈｅｒｎｅｔ（登録商標）ケーブルへの出力ＰＳＥ線の接続を示す。
【図３】図３は、Ｃｉｓｃｏ  ＵＰｏＥシステム等の二重ＰＳＥ高電力ＰｏＥシステムを例証する。
【図４】図４は、本開示の例示的ＰｏＥシステムを例証する。
【図５】図５は、本開示のＰｏＥシステムの代替実施形態を例証する。
【図６】図６は、単一ＰＤシグネチャ回路と関連付けられたＰＤを例証する。
【図７】図７は、一対のＰＤシグネチャ回路と関連付けられたＰＤを例証する。
【図８】図８は、本開示の例示的スイッチ制御プロシージャを例証する。
【発明を実施するための形態】
【００２４】
本開示は、以下に提示される具体的実施例を使用して、行われるであろう。しかしながら、本開示の概念は、４対の導体を介して電力を提供する、任意のＰｏＥシステムに適用可能であることは、明白となるであろう。
【００２５】
図４は、信号対電力線１４、予備対電力線１６、信号対帰線１８、および予備対帰線２０を有する、出力回路に連結されたＰＳＥ回路２２０を含む、本開示の例示的ＰｏＥシステムを示す。出力回路は、４対の導体を有するＥｔｈｅｒｎｅｔ（登録商標）ケーブルを経由して、ＰＳＥ回路２２０からＰＤに、電力を提供するために提供される。信号対電力線１４、予備対電力線１６、信号対帰線１８、および予備対帰線２０は、図２に例証される様式において、Ｅｔｈｅｒｎｅｔ（登録商標）ケーブル内の対の導体に接続されてもよい。
【００２６】
ＰＳＥ回路２２０は、ＭＯＳＦＥＴデバイス等の電力スイッチ２４０を経由して、出力線１４、１６、１８、および２０のうちの１つに連結される。例えば、電力スイッチ２４０は、ＰＳＥ回路２２０と予備対電力線１６との間に提供されてもよい。電力スイッチ２４０は、ＰＳＥ回路内に提供され得る、またはＰＳＥ回路に対して外部であり得る、スイッチ制御回路２６０によって制御される。予備対帰線２０は、信号対帰線１８に接続される。
【００２７】
ＰＳＥ回路２２０は、ＩＥＥＥ８０２．３ＰｏＥ規格によって規定されるＰＳＥ動作を行うために必要とされる全回路を含む、ＰＳＥデバイスであってもよい。特に、検出回路、随意の分類回路、電源、スイッチング、および突入電流制御回路を含んでもよい。
【００２８】
電力スイッチ２４０が、オフにされると、ＰＳＥ回路２２０は、信号対２２および２４（図２）にのみ電力を提供し、完全ＩＥＥＥ準拠ＰＳＥとして動作する。代替として、電力スイッチ２４０が、オンにされると、ＰＳＥ回路２２０は、全４対のＥｔｈｅｒｎｅｔ（登録商標）ケーブルを介して、電力を供給し、したがって、電力が、２対のみ介して提供されるときに可能であるものより高い電力レベルを提供する、または２対のみを介して電力を提供するのと比較して、ループ抵抗を低下させることによって、電力損失を減少させるようにされる。
【００２９】
例えば、電力スイッチ２４０は、ＰＳＥ回路２２０から供給された電力が除去されると、切り替えられてもよい。この場合、スイッチ２４０がオフであるとき、ＰＳＥ回路２２０内のＰＳＥ検出および分類回路は、Ｅｔｈｅｒｎｅｔ（登録商標）ケーブル内の２対の導体を介して、ＰＤの検出および分類を行うようにされる。スイッチ２４０が、オンにされると、ＰＤは、４対の導体を介して、検出および分類されてもよい。
【００３０】
電力スイッチ２４０は、ＰＳＥ回路２２０に、２対を介して、検出および分類を行わせるが、全４対を介して、電力を印加させる。この場合、スイッチ２４０は、検出および分類相の間、オフにされ、検出および分類相後、オンにされる。
【００３１】
ＰＳＥ回路２２０からの電力が、ＰＤに印加された後の電力スイッチ２４０の切替は、ＰＳＥ回路２２０に、２対の導体または４対の導体のいずれかを介して、ＰＤを給電させる。例えば、ＰＤへの電力が、２対のみを介して、供給される場合、電力スイッチ２４０は、オンにされ、電力を提供するために、付加的対の導体を追加してもよい。ＰＤへの電力が、４対の導体を介して供給される場合、電力スイッチ２４０は、オフにされ、電源線からの２対を除去してもよい。
【００３２】
図５は、本開示による、ＰｏＥシステムの別の実施例を例証する。ＰＳＥ回路２２０は、第１の電力スイッチ２４０を経由して、予備対電力線１６に、第２の電力スイッチ２８０を経由して、信号対電力線１４に、接続される。第２の電力スイッチ２８０は、第１の電力スイッチ２４０と同様に動作するが、ＰＳＥ回路２２０に、スイッチのうちの一方がオンであり、他方がオフであるときに、信号対または予備対のいずれかに電力を提供させる。スイッチ２４０および２８０の両方が、オンであるとき、電力は、全４対にともに提供されてもよい。
【００３３】
本構成は、特に、スイッチ２４０および２８０が、ＰＳＥ電力が除去された状態で制御され、単一ＰＳＥに、個々または連続のいずれかにおいて、信号および予備対を介して、ＰＤ検出または分類を行わせるとき、有用である。本プロシージャは、ＰＳＥに、いくつかの高電力ＰＤの識別特色である、各対内のＩＥＥＥＰｏＥ検出シグネチャを検出させる。
【００３４】
また、図５内の２スイッチ方式は、ＰＳＥ回路２２０に、信号対のセットまたは予備対のセットのいずれかを介して、ＰＤに給電し、給電後、他のセットの対を追加するための能力を提供する。ＰＤが、全４対の導体を介して、給電される場合、スイッチ２４０および２８０は、ＰＳＥ回路２２０に、いずれかのセットの対を切断させる。
【００３５】
例えば、図５におけるスイッチ制御回路２６０は、スイッチ制御プロシージャを実装し、１つまたは２つのＰＤシグネチャ回路が、Ｅｔｈｅｒｎｅｔ（登録商標）ケーブル内の４対の導体を介して、ＰＳＥ回路２２０に接続されたＰＤ内に存在するかどうか判定してもよい。図６および７に例証されるように、４対の導体を介して、ＰＳＥ回路２２０に接続されたＰＤ３００は、単一ＰＤシグネチャ回路３０２（図６）または一対のＰＤシグネチャ回路３０４および３０６（図７）と関連付けることができる。
【００３６】
各ＰＤシグネチャ回路は、ＰＳＥ回路２２０に、ＩＥＥＥ  ＰｏＥ標準的準拠検出シグネチャを提供するように構成される。ＩＥＥＥ  ＰｏＥ規格によって規定された検出試験の間、ＰＳＥ回路２２０が、有効ＰＤシグネチャ値、すなわち、ＩＥＥＥ  ＰｏＥ規格によって指定されたシグネチャ値を検出する場合、Ｅｔｈｅｒｎｅｔ（登録商標）ケーブルに接続されたＰＤ３００は、有効ＰＤと見なされ、電力が供給されてもよい。
【００３７】
図６における単一ＰＤシグネチャ回路３０２は、２つのダイオードブリッジを含む、標準的ＰＤダイオードネットワーク３０８を介して、２つの信号対および２つの予備対のＥｔｈｅｒｎｅｔ（登録商標）ケーブルに接続されてもよい。対照的に、図７におけるＰＤ配設では、ＰＤシグネチャ回路３０４は、ダイオードブリッジ３１０を介して、２つの信号対に接続される一方、ＰＤシグネチャ回路３０６は、ダイオードブリッジ３２０を介して、２つの予備対に接続される。Ｃｉｓｃｏ  ＵＰｏＥ  ＰＤデバイスは、図７における配設の実施例である。
【００３８】
スイッチ制御回路２６０は、ＰＳＥ回路２２０に、ＰＤ３００が、１つまたは２つのシグネチャ回路を有する、有効ＰＤであるかどうか判定するように、検出試験を行わせ、ＰＤシグネチャを検出する。図８に例証されるように、ＰＳＥ回路２２０は、一連の検出試験４０２、４０４、および４０６を行い、試験のそれぞれの間、ＰＤ３００の検出シグネチャを判定してもよい。第１の検出試験４０２を行う前に、スイッチ制御回路２６０は、ＰＳＥ回路２２０に、予備対２６および２８（図２）のみを介して、ＰＤ３００を検出させるように、スイッチ２４０をオンにし、スイッチ２８０をオフにする。第２の検出試験４０４は、信号対２２および２４のみを介して、ＰＤ３００を検出するように、スイッチ２４０が、オフにされ、スイッチ２８０が、オフにされるときに行われる。第３の検出試験４０６は、全４対２２、２４、２６、および２８を介して、ＰＤ３００を検出するように、スイッチ２４０および２８０の両方が、オンにされるときに行われる。
【００３９】
ＰＳＥ回路２２０内のデータ処理回路は、全３つの検出試験４０２、４０４、および４０６の結果を分析し、ＰＤ３００が、有効ＰＤデバイスであるかどうか判定してもよい。特に、同一有効ＰＤシグネチャ値、例えば、２５ｋＯｈｍが、試験４０２、４０４、および４０６のそれぞれにおいて検出される場合、ＰＳＥ回路２２０は、単一シグネチャ回路による、ＰＤへの有効な４対接続を検出したと仮定することができる（図６における配設のように）。
【００４０】
第１および第２の検出試験４０２および４０４が、同一有効ＰＤシグネチャ値、例えば、２５ｋＯｈｍを検出し、第３の検出試験４０６が、試験４０２および４０４において検出されたＰＤシグネチャ値の半分と等しいＰＤシグネチャ値、例えば、１２．５ｋＯｈｍを報告する場合、ＰＳＥ回路２２０は、２つの独立シグネチャ回路が検出され、その一方は、信号対の導体に、他方は、予備対の導体に、接続されていると仮定することができる。並列に接続された２つのシグネチャ回路は、第３の試験４０６の１２．５ｋＯｈｍの結果を生成する。
【００４１】
これらの２つのシグネチャ回路は、Ｅｔｈｅｒｎｅｔ（登録商標）ケーブル内の４対の導体に接続された単一有効ＰＤ３００と関連付けられてもよい（図７における配設のように）。代替として、試験４０２、４０４および４０６において検出された２つの独立シグネチャ回路は、２つの別個の有効ＰＤユニットから成る、ＰＤと関連付けられてもよく、そのうちの一方は信号対に接続され、他方は予備対に接続される。
【００４２】
第１または第２の検出試験のいずれかが、無効ＰＤシグネチャを報告する場合、第３の検出試験は、スキップされてもよい。この場合、ＰＳＥ回路２２０は、有効ＰＤが、全４対のＥｔｈｅｒｎｅｔ（登録商標）ケーブルに接続されていないと仮定することができる。
【００４３】
しかしながら、第１の検出試験４０２が、有効ＰＤシグネチャ値を検出するが、第２の検出試験４０４が、無効シグネチャ値を報告する場合、ＰＳＥシグネチャ回路は、有効ＰＤが、予備対の導体に接続されているが、信号対には接続されていないと仮定することができる。同様に、第１の検出試験４０２が、無効ＰＤシグネチャを検出するが、第２の検出試験４０４が、有効ＰＤシグネチャ値を報告する場合、ＰＳＥ回路２２０は、有効ＰＤが、信号対の導体に接続されているが、予備対には接続されていないと仮定することができる。
【００４４】
本開示のＰｏＥシステムは、完全ＩＥＥＥ−準拠ＰＳＥとして構成することができる、あるいは図１におけるＬＴＰｏＥ＋＋ＴＭシステム等の対結合された高電力ＰｏＥシステム、または図３におけるＵＰｏＥシステム等の二重ＰＳＥ高電力ＰｏＥシステムのいずれかと相互互換するように構成することができる。
【００４５】
前述の説明は、本発明の側面を例証および説明する。加えて、本開示は、好ましい実施形態のみ、図示および説明するが、前述のように、本発明は、種々の他の組み合わせ、修正、および環境において使用可能であって、かつ前述の教示および／または当該分野における技術あるいは知識に相当する、本明細書に表されるような本発明の概念の範囲内において、変更または修正が可能であることを理解されたい。
【００４６】
前述に説明された実施形態はさらに、本発明を実践する周知の最良形態を説明し、そのようなまたは他の実施形態において、本発明の特定の用途または使用によって必要とされる種々の修正とともに、当業者に、本発明を利用可能にするよう意図される。故に、説明は、本発明を本明細書に開示される形態に限定するように意図されない。
【図１】
2013118622.tif 000003
【図２】
2013118622.tif 000004
【図３】
2013118622.tif 000005
【図４】
2013118622.tif 000006
【図５】
2013118622.tif 000007
【図６】
2013118622.tif 000008
【図７】
2013118622.tif 000009
【図８】
2013118622.tif 000010
【外国語明細書】
2013118622000001.pdf